(57)【要約】      （修正有）【課題】主プリント基板の上下にアンテナ部を形成し、主プリント基板による電波遮蔽性を改善し、かつ主プリント基板とアンテナプリント基板とを容易に保持しつつ、半田付け部の強度を確保し信頼性の高い半田付を可能とする実装構造を提供する。【解決手段】アンテナプリント基板１は、主プリント基板２搭載位置の上下に指向性を有するアンテナ素子１３と、前記主プリント基板に接続する接続端子２１と、前記主プリント基板に固定する固定端子２２と、を有し、前記主プリント基板は、前記アンテナプリント基板を貫通させて搭載する穴と、前記アンテナプリント基板を接続する接続端子と、前記アンテナプリント基板を固定する固定端子と、を有し、前記主プリント基板の前記接続端子と前記固定端子には、前記主プリント基板の表面及び、前記接続端子と前記固定端子の端面に導体を有する。【選択図】図１
0003185248.tif 000002
【実用新案登録請求の範囲】
【請求項１】
アンテナ素子を有するアンテナプリント基板を主プリント基板に実装する実装構造であって、
前記アンテナプリント基板は、前記主プリント基板搭載位置の上下に指向性を有するアンテナ素子と、前記主プリント基板に接続する接続端子と、前記アンテナプリント基板を前記主プリント基板に固定する固定端子と、を有し、
前記主プリント基板は、前記アンテナプリント基板を貫通させて搭載する穴と、前記アンテナプリント基板を接続する接続端子と、前記アンテナプリント基板を固定する固定端子と、を有し、
前記主プリント基板の前記接続端子と前記固定端子には、前記主プリント基板の表面および、前記接続端子と前記固定端子の端面に導体を有することを特徴とするアンテナの実装構造。
【考案の詳細な説明】
【技術分野】
【０００１】
本考案は、アンテナ素子を銅箔パターンにより形成したアンテナプリント基板を、受発信回路を搭載した主プリント基板に実装するための構造に関するものである。
【背景技術】
【０００２】
従来の主プリント基板の上下に指向性を有するアンテナの実装構造において、プリント基板の一側部の両端に第１、第２溝を形成し、金属等の素材を枠状に成形したアンテナの一端側に第１溝に嵌合されて回転可能に支持される支点部を形成し、アンテナの他端側に、プリント基板の上下方向への動きを規制する挟み込みツメ部と、第２溝に弾圧されて挿入され、挿入後に前記プリント基板の前後方向への動きを規制するストッパとを形成し、プリント基板とアンテナとを容易に仮保持することが可能な構造が用いられている。このことは参考文献１で示されている。
【０００３】
しかしながら、従来のアンテナの実装構造では、アンテナを溝に嵌合して回転させて取付作業を行う必要がある為に取付け時の生産性が悪い点と、アンテナと主プリント基板との半田付け端子及び固定端子の半田付け部における強度を保持できないという問題があった。
【先行技術文献】
【特許文献】
【０００４】
【特許文献１】特開平１１−３０８０３２号公報
【考案の概要】
【考案が解決しようとする課題】
【０００５】
本考案は上記の問題を解決するために、主プリント基板の上下にアンテナ部を形成して、主プリント基板による電波遮蔽性を改善し、かつ主プリント基板とアンテナプリント基板とを容易に保持しつつ、半田付け部の強度を確保し信頼性の高い半田付を可能とする実装構造を提供することにある。
【課題を解決するための手段】
【０００６】
上記課題を解決するために、本考案は、アンテナ素子を有するアンテナプリント基板を主プリント基板に実装する実装構造であって、前記アンテナプリント基板は、前記主プリント基板搭載位置の上下に指向性を有するアンテナ素子と、前記主プリント基板に接続する接続端子と、前記アンテナプリント基板を前記主プリント基板に固定する固定端子と、を有し、前記主プリント基板は、前記アンテナプリント基板を貫通させて搭載する穴と、前記アンテナプリント基板を接続する接続端子と、前記アンテナプリント基板を固定する固定端子と、を有し、前記主プリント基板の前記接続端子と前記固定端子には、前記主プリント基板の表面および、前記接続端子と前記固定端子の端面に導体を有することを特徴とする。
【考案の効果】
【０００７】
本考案によれば、主プリント基板の上下にアンテナ部を形成して、主プリント基板による電波遮蔽性を改善し、かつ主プリント基板とアンテナプリント基板とを容易に保持しつつ、半田付け部の強度を確保し信頼性の高い半田付を可能とする実装構造を提供できる。
【図面の簡単な説明】
【０００８】
【図１】実施の形態を示す動作説明図である。
【図２】アンテナプリント基板の詳細を示す平面図である。
【図３】主プリント基板の詳細を示す二面図（ａ）（ｂ）とＡ−Ａ断面を示す断面図（ｃ）である。
【考案を実施するための形態】
【０００９】
以下、図面を参照して本考案についての実施例を説明する。
図１は、本考案の一実施例における形態を示す動作説明図である。アンテナプリント基板１を、主プリント基板２の上部（点線で示す位置）より挿入し、主プリント基板２に保持する（実線で示す）。アンテナプリント基板１が備えるアンテナ素子１３を主プリント基板２の上下に貫通させてアンテナ素子１３を配置することにより、主プリント基板２の上下方向にアンテナの指向性を確保するものである。
【００１０】
図２は、本考案の実施例におけるアンテナプリント基板１の詳細を示す平面図である。アンテナプリント基板１には、銅箔パターンにより形成したアンテナ素子１３と、アンテナプリント基板１を主プリント基板２と接続及び固定するためのアンテナプリント基板接続端子１１と、アンテナプリント基板固定端子１２と、を有する。
【００１１】
アンテナプリント基板１を図１のように主プリント基板２に挿入した際に、アンテナプリント基板接続端子１１及びアンテナプリント基板固定端子１２を、主プリント基板２が有する主プリント基板接続端子２１及び主プリント基板固定端子２２に半田付けして接続する。これにより半田付け部の強度を確保する。
【００１２】
図３は、本考案の実施例における主プリント基板の詳細を示す二面図とＡ−Ａ断面を示す断面図である。
図３（ａ）、（ｂ）は主プリント基板２の詳細を示す二面図であり、主プリント基板２は、主プリント基板接続端子２１と、図２に示すアンテナプリント基板を挿入するためのアンテナプリント基板貫通穴２３と、主プリント基板固定端子２２と、を有し、アンテナプリント基板１をアンテナプリント基板貫通穴２３に挿入し、アンテナプリント基板１が有するアンテナプリント基板固定端子１２を主プリント基板固定端子２２に、アンテナプリント基板接続端子１１を主プリント基板接続端子２１に、保持した後に半田を融着して接続及び固定する。  
【００１３】
図３（ｃ）は、図３（ａ）の断面Ａ−Ａであって、主プリント基板接続端子２１の断面を示す。主プリント基板接続端子２１は、主プリント基板２の表面部分には表面導体２４を、アンテナプリント基板貫通穴２３の端面には端面導体２５を有する。図２に示すアンテナプリント基板１のアンテナプリント基板接続端子１１を、図３（ｃ）に示す主プリント基板接続端子２１に形成した表面導体２４と端面導体２５に半田溶着することで、半田付け強度を確保する。
【００１４】
以上、本考案によれば、アンテナプリント基板１を主プリント基板２のアンテナプリント基板貫通穴２３に保持し、主プリント基板２の主プリント基板接続端子２１及び主プリント基板固定端子２２に固定すると共に、アンテナプリント基板１のアンテナプリント基板接続端子１１を主プリント基板２の主プリント基板接続端子２１に形成した表面導体２４と端面導体２５に半田溶着することで、主プリント基板の上下に指向性を有するアンテナプリント基板を主プリント基板に貫通して搭載することができると共に、半田付け強度を確保することができる。
【００１５】
本考案は、上記の実施形態に限定されるものではなく、さまざまな変更が可能である。例えば、アンテナプリント基板１のアンテナプリント基板固定端子１２と主プリント基板２の主プリント基板接続端子２２にグランド回路を接続し、アンテナプリント基板１に反射素子を形成するなどの構造であってもよい。
【符号の説明】
【００１６】
１      アンテナプリント基板
２      主プリント基板
１１    アンテナプリント基板接続端子
１２    アンテナプリント基板固定端子
１３    アンテナ素子
２１    主プリント基板接続端子
２２    主プリント基板固定端子
２３    アンテナプリント基板貫通穴
２４    表面導体
２５    端面導体
【図１】
0003185248.tif 000003
【図２】
0003185248.tif 000004
【図３】
0003185248.tif 000005